(57)【要約】【課題】表示装置を長寿命化することができる信号処理回路等を提供する。【解決手段】信号処理回路５０は、発光素子の表示履歴情報を累積する累積回路５２と、累積された表示履歴情報から表示パネル１２の劣化進行度を検出し、劣化進行度に基づいて表示パネル１２の回転推奨状態を検出する検出回路５４とを備え、検出回路５４は、表示パネル１２を同数の画素回路を有する複数のブロックに分割した場合の、複数のブロックのそれぞれにおける劣化進行度を検出し、劣化進行度があらかじめ定められた第１の閾値以上である複数のブロックの数が所定数以上であるときに、表示パネル１２が回転推奨状態であると検出する。【選択図】図４Ｂ
2019023676.tif 000002
【特許請求の範囲】
【請求項１】
発光素子を有する画素回路が複数個行列状に配置された表示パネルの信号処理回路であって、
前記発光素子の表示履歴情報を累積する累積回路と、
累積された前記表示履歴情報から前記表示パネルの劣化進行度を検出し、前記劣化進行度に基づいて前記表示パネルの回転推奨状態を検出する検出回路とを備え、
前記検出回路は、
前記表示パネルを、同数の前記画素回路を有する複数のブロックに分割した場合の、前記複数のブロックのそれぞれにおける前記劣化進行度を検出し、
前記劣化進行度があらかじめ定められた第１の閾値以上である前記複数のブロックの数が所定数以上であるときに、前記表示パネルが前記回転推奨状態であると検出する、
信号処理回路。
【請求項２】
前記検出回路は、
前記劣化進行度として、前記複数のブロックのそれぞれにおける前記発光素子の前記表示履歴情報の累積値のうちの最大値を検出する最大値検出部を有する、
請求項１に記載の信号処理回路。
【請求項３】
前記検出回路は、
前記劣化進行度として、前記複数のブロックのそれぞれにおける第１の劣化進行度と、前記表示パネルを面内方向に回転させたときに前記複数のブロックのそれぞれの位置に重複する前記複数のブロックのそれぞれにおける第２の劣化進行度との平均値を算出し、算出した前記平均値が第２の閾値以下であるか否かを判別する判別部を有する、
請求項１または２に記載の信号処理回路。
【請求項４】
前記検出回路が、前記表示パネルが前記回転推奨状態であると検出し、前記表示パネルが回転された場合、
前記表示パネルにおいて列方向に配置された複数の前記画素回路に出力されるゲート信号の出力順を、第１の方向から、前記第１の方向と逆方向の第２の方向とするように、前記ゲート信号を出力するゲート駆動回路を動作させ、
前記表示パネルにおいて行方向に配置された複数の前記画素回路に出力される映像信号の出力順を、前記第１の方向に直交する第３の方向から、前記第３の方向と逆方向の第４の方向とするように、前記映像信号を出力するソース駆動回路を動作させる、
請求項１〜３のいずれか１項に記載の信号処理回路。
【請求項５】
発光素子を有する画素回路が複数個行列状に配置された表示パネルと、
前記表示パネルに表示される映像信号を前記画素回路に供給するソース駆動回路と、
前記表示パネルに表示される前記映像信号の表示タイミングを制御するゲート信号を前記画素回路に供給するゲート駆動回路と、
前記ゲート駆動回路および前記ソース駆動回路とを制御する制御部と、
通知部とを備え、
前記制御部は、信号処理回路を有し、
前記信号処理回路は、
前記発光素子の表示履歴情報を累積する累積回路と、
累積された前記表示履歴情報から前記表示パネルの劣化進行度を検出し、前記劣化進行度に基づいて前記表示パネルの回転推奨状態を検出する検出回路とを有し、
前記検出回路は、
前記表示パネルを、同数の前記画素回路を有する複数のブロックに分割した場合の、前記複数のブロックのそれぞれにおける前記劣化進行度を検出し、
前記劣化進行度があらかじめ定められた第１の閾値以上である前記複数のブロックの数が所定数以上であるときに、前記表示パネルが前記回転推奨状態であると検出し、
検出結果を前記通知部に通知させる、
表示装置。
【請求項６】
前記検出回路は、
前記劣化進行度として、前記複数のブロックのそれぞれにおける前記発光素子の前記表示履歴情報の累積値のうちの最大値を検出する最大値検出部を有する、
請求項５に記載の表示装置。
【請求項７】
前記検出回路は、
前記劣化進行度として、前記複数のブロックのそれぞれにおける第１の劣化進行度と、前記表示パネルを面内方向に回転させたときに前記複数のブロックのそれぞれの位置に重複する前記複数のブロックのそれぞれにおける第２の劣化進行度との平均値を算出し、算出した前記平均値が第２の閾値以下であるか否かを判別する判別部を有する、
請求項５または６に記載の表示装置。
【請求項８】
前記信号処理回路は、
前記検出回路が、前記表示パネルが前記回転推奨状態であると検出し、前記表示パネルが回転された場合、
前記表示パネルにおいて列方向に配置された複数の前記画素回路に出力される前記ゲート信号の出力順を、第１の方向から、前記第１の方向と逆方向の第２の方向とするように、前記ゲート駆動回路を動作させ、
前記表示パネルにおいて行方向に配置された複数の前記画素回路に出力される前記映像信号の出力順を、前記第１の方向に直交する第３の方向から、前記第３の方向と逆方向の第４の方向とするように、前記ソース駆動回路を動作させる、
請求項５〜７のいずれか１項に記載の表示装置。
【請求項９】
前記ゲート駆動回路は、前記表示パネルにおいて列方向に配置された複数の画素回路に対する前記ゲート信号の出力順を、第１の方向および前記第１の方向と逆方向の第２の方向のいずれの方向にも変更可能であり、
前記ソース駆動回路は、前記表示パネルにおいて行方向に配置された複数の前記画素回路に対する前記映像信号の出力順を、前記第１の方向に直交する第３の方向および前記第３の方向と逆方向の第４の方向のいずれの方向にも変更可能である、
請求項５〜８のいずれか１項に記載の表示装置。
【請求項１０】
前記表示パネルを回転させる回転機構を備える、
請求項５〜９のいずれか１項に記載の表示装置。
【請求項１１】
発光素子を有する画素回路が複数個行列状に配置された表示パネルの回転推奨状態を検出するプログラムであって、
検出回路に、
前記表示パネルを、同数の前記画素回路を有する複数のブロックに分割した場合の、前記複数のブロックのそれぞれにおける劣化進行度を、累積回路に累積された表示履歴情報から検出させ、
前記劣化進行度があらかじめ定められた第１の閾値以上である前記複数のブロックの数が所定数以上であるときに、前記表示パネルが前記回転推奨状態であると検出させる、
プログラム。
【請求項１２】
前記検出回路に、
前記劣化進行度として、前記複数のブロックのそれぞれにおける前記発光素子の前記表示履歴情報の累積値のうちの最大値を検出させる、
請求項１１に記載のプログラム。
【請求項１３】
前記検出回路に、
前記劣化進行度として、前記複数のブロックのそれぞれにおける第１の劣化進行度と、前記表示パネルを面内方向に回転させたときに前記複数のブロックのそれぞれの位置に重複する前記複数のブロックのそれぞれにおける第２の劣化進行度との平均値を算出させ、算出した前記平均値が第２の閾値以下であるか否かを判別させる、
請求項１１または１２に記載のプログラム。
【請求項１４】
前記検出回路が、前記表示パネルが前記回転推奨状態であると検出し、前記表示パネルが回転された場合、
前記表示パネルにおいて列方向に配置された複数の画素回路に対するゲート駆動回路からのゲート信号の出力順を、第１の方向から、前記第１の方向と逆方向の第２の方向とするように前記ゲート駆動回路を駆動させ、
前記表示パネルにおいて行方向に配置された複数の前記画素回路に対するソース駆動回路からの映像信号の出力順を、前記第１の方向に直交する第３の方向から、前記第３の方向と逆方向の第４の方向とするように前記ソース駆動回路を駆動させる、
請求項１１〜１３のいずれか１項に記載のプログラム。
【発明の詳細な説明】
【技術分野】
【０００１】
本発明は、信号処理回路、表示装置およびプログラムに関する。
【背景技術】
【０００２】
表示装置として、例えば有機ＥＬ素子（ＯＬＥＤ：Ｏｒｇａｎｉｃ  Ｌｉｇｈｔ  Ｅｍｉｔｔｉｎｇ  Ｄｉｏｄｅ）を用いた画像表示装置（有機ＥＬディスプレイ）が知られている。有機ＥＬディスプレイは、視野角特性が良好で、消費電力が少ないという利点を有するため、次世代のＦＰＤ（Ｆｌａｔ  Ｐａｎａｌ  Ｄｉｓｐｌａｙ）候補として注目されている。
【０００３】
有機ＥＬ素子等の発光素子では、経時劣化のために長期間の使用によって同一電圧に対する発光輝度が低下する現象がある。このため、発光素子を備える表示装置においては、画素毎もしくは表示エリア毎の表示履歴情報を利用した映像信号処理回路で駆動電圧を制御することにより輝度低下を抑制したり、焼き付きを抑制する技術が導入されている（例えば、特許文献１参照）。
【０００４】
特許文献１に記載の技術では、表示装置の画素内にＶｔｈ補償回路を構成し、駆動トランジスタの特性ばらつきを抑えることで、画素毎または表示エリア毎に発光素子の輝度低下および焼き付きによる輝度ムラを抑制している。
【先行技術文献】
【特許文献】
【０００５】
【特許文献１】国際公開第２００８／１５２８１７号
【発明の概要】
【発明が解決しようとする課題】
【０００６】
特許文献１の補正方法では、画素に構成されたＶｔｈ補償回路により、初期特性における駆動トランジスタのＴＦＴ特性のＶｔｈばらつきと経時劣化に対するＶｔｈばらつきとを抑えることで、表示装置での輝度ムラの抑制を図っている。
【０００７】
しかし、パソコンの事務作業またはゲーム用途の表示画面では、表示画面の特定位置にアイコンまたはインフォメーションが常時表示されている。これにより、当該特定位置に配置された発光素子は、他の位置に配置された発光素子と比べて経時劣化が著しく進行する。そのため、当該特定位置に配置された発光素子では、発光素子の寿命、すなわち、輝度低下および焼き付きによる発光素子の輝度ムラを解消することができる限界に達するまでの時間が、他の位置に配置された発光素子よりも短くなる。これにより、表示装置全体としても寿命が短くなるという課題がある。
【０００８】
上記課題に鑑み、本発明は、表示装置を長寿命化することができる信号処理回路、プログラム、および、長寿命化することができる表示装置を提供することを目的とする。
【課題を解決するための手段】
【０００９】
上記目的を達成するために、本発明にかかる信号処理回路の一態様は、発光素子を有する画素回路が複数個行列状に配置された表示パネルの信号処理回路であって、前記発光素子の表示履歴情報を累積する累積回路と、累積された前記表示履歴情報から前記表示パネルの劣化進行度を検出し、前記劣化進行度に基づいて前記表示パネルの回転推奨状態を検出する検出回路とを備え、前記検出回路は、前記表示パネルを、同数の前記画素回路を有する複数のブロックに分割した場合の、前記複数のブロックのそれぞれにおける前記劣化進行度を検出し、前記劣化進行度があらかじめ定められた第１の閾値以上である前記複数のブロックの数が所定数以上であるときに、前記表示パネルが前記回転推奨状態であると検出する。
【００１０】
これにより、発光素子の輝度低下を輝度の補正により解消することができる限界に達する前に表示パネルを回転させるため、劣化した発光素子の発光輝度を補正することで、正しい輝度で発光素子を発光させ、表示を行うことができる。これにより、表示装置を長寿命化することができる。
【００１１】
また、前記検出回路は、前記劣化進行度として、前記複数のブロックのそれぞれにおける前記発光素子の前記表示履歴情報の累積値のうちの最大値を検出する最大値検出部を有してもよい。
【００１２】
これにより、複数のブロックのそれぞれにおける発光素子の表示履歴情報の累積値のうちの最大値を劣化進行度として検出するため、精度よく回転推奨状態を検出することができる。
【００１３】
また、前記検出回路は、前記劣化進行度として、前記複数のブロックのそれぞれにおける第１の劣化進行度と、前記表示パネルを面内方向に回転させたときに前記複数のブロックのそれぞれの位置に重複する前記複数のブロックのそれぞれにおける第２の劣化進行度との平均値を算出し、算出した前記平均値が第２の閾値以下であるか否かを判別する判別部を有してもよい。
【００１４】
これにより、表示パネルの回転前後の劣化進行度の平均値を算出するので、表示パネルを回転させた場合に所定のブロックの発光素子の輝度低下を解消することができるか否かを事前に判別することができる。したがって、表示パネルの回転を効率よく行うことができる。
【００１５】
また、前記検出回路が、前記表示パネルが前記回転推奨状態であると検出し、前記表示パネルが回転された場合、前記表示パネルにおいて列方向に配置された複数の前記画素回路に出力されるゲート信号の出力順を、第１の方向から、前記第１の方向と逆方向の第２の方向とするように、前記ゲート信号を出力するゲート駆動回路を動作させ、前記表示パネルにおいて行方向に配置された複数の前記画素回路に出力される映像信号の出力順を、前記第１の方向に直交する第３の方向から、前記第３の方向と逆方向の第４の方向とするように、前記映像信号を出力するソース駆動回路を動作させてもよい。
【００１６】
これにより、表示パネルを回転させた場合に、表示パネルへの映像表示を正しい向きに表示することができる。
【００１７】
また、上記目的を達成するために、本発明にかかる表示装置の一態様は、発光素子を有する画素回路が複数個行列状に配置された表示パネルと、前記表示パネルに表示される映像信号を前記画素回路に供給するソース駆動回路と、前記表示パネルに表示される前記映像信号の表示タイミングを制御するゲート信号を前記画素回路に供給するゲート駆動回路と、前記ゲート駆動回路および前記ソース駆動回路とを制御する制御部と、通知部とを備え、前記制御部は、信号処理回路を有し、前記信号処理回路は、前記発光素子の表示履歴情報を累積する累積回路と、累積された前記表示履歴情報から前記表示パネルの劣化進行度を検出し、前記劣化進行度に基づいて前記表示パネルの回転推奨状態を検出する検出回路とを有し、前記検出回路は、前記表示パネルを、同数の前記画素回路を有する複数のブロックに分割した場合の、前記複数のブロックのそれぞれにおける前記劣化進行度を検出し、前記劣化進行度があらかじめ定められた第１の閾値以上である前記複数のブロックの数が所定数以上であるときに、前記表示パネルが前記回転推奨状態であると検出し、検出結果を前記通知部に通知させる。
【００１８】
これにより、発光素子の輝度低下を輝度の補正により解消することができる限界に達する前に表示パネルを回転させるため、劣化した発光素子の発光輝度を補正することで、正しい輝度で発光素子を発光させ、表示を行うことができる。これにより、表示装置を長寿命化することができる。
【００１９】
また、前記検出回路は、前記劣化進行度として、前記複数のブロックのそれぞれにおける前記発光素子の前記表示履歴情報の累積値のうちの最大値を検出する最大値検出部を有してもよい。
【００２０】
これにより、複数のブロックのそれぞれにおける発光素子の表示履歴情報の累積値のうちの最大値を劣化進行度として検出するため、精度よく回転推奨状態を検出することができる。
【００２１】
また、前記検出回路は、前記劣化進行度として、前記複数のブロックのそれぞれにおける第１の劣化進行度と、前記表示パネルを面内方向に回転させたときに前記複数のブロックのそれぞれの位置に重複する前記複数のブロックのそれぞれにおける第２の劣化進行度との平均値を算出し、算出した前記平均値が第２の閾値以下であるか否かを判別する判別部を有してもよい。
【００２２】
これにより、表示パネルの回転前後の劣化進行度の平均値を算出するので、表示パネルを回転させた場合に所定のブロックの発光素子の輝度低下を解消することができるか否かを事前に判別することができる。したがって、表示パネルの回転を効率よく行うことができる。
【００２３】
また、記信号処理回路は、前記検出回路が、前記表示パネルが前記回転推奨状態であると検出し、前記表示パネルが回転された場合、前記表示パネルにおいて列方向に配置された複数の前記画素回路に出力される前記ゲート信号の出力順を、第１の方向から、前記第１の方向と逆方向の第２の方向とするように、前記ゲート駆動回路を動作させ、前記表示パネルにおいて行方向に配置された複数の前記画素回路に出力される前記映像信号の出力順を、前記第１の方向に直交する第３の方向から、前記第３の方向と逆方向の第４の方向とするように、前記ソース駆動回路を動作させてもよい。
【００２４】
また、前記ゲート駆動回路は、前記表示パネルにおいて列方向に配置された複数の画素回路に対する前記ゲート信号の出力順を、第１の方向および前記第１の方向と逆方向の第２の方向のいずれの方向にも変更可能であり、前記ソース駆動回路は、前記表示パネルにおいて行方向に配置された複数の前記画素回路に対する前記映像信号の出力順を、前記第１の方向に直交する第３の方向および前記第３の方向と逆方向の第４の方向のいずれの方向にも変更可能であってもよい。
【００２５】
これにより、表示パネルを回転させた後、ゲート駆動回路からのゲート信号の出力順およびソース駆動回路からの映像信号の出力順を逆方向にするため、表示パネルへの映像表示を正しい向きに表示することができる。
【００２６】
また、前記表示パネルを回転させる回転機構を備えてもよい。
【００２７】
これにより、表示パネルが回転推奨状態であると検出された場合に、表示パネルを容易に回転させることができる。
【００２８】
また、上記目的を達成するために、本発明にかかるプログラムの一態様は、発光素子を有する画素回路が複数個行列状に配置された表示パネルの回転推奨状態を検出するプログラムであって、検出回路に、前記表示パネルを、同数の前記画素回路を有する複数のブロックに分割した場合の、前記複数のブロックのそれぞれにおける劣化進行度を、累積回路に累積された表示履歴情報から検出させ、前記劣化進行度があらかじめ定められた第１の閾値以上である前記複数のブロックの数が所定数以上であるときに、前記表示パネルが前記回転推奨状態であると検出させる。
【００２９】
これにより、発光素子の輝度低下を輝度の補正により解消することができる限界に達する前に表示パネルを回転させるため、劣化した発光素子の発光輝度を補正することで、正しい輝度で発光素子を発光させ、表示を行うことができる。これにより、表示装置を長寿命化することができる。
【００３０】
また、前記検出回路に、前記劣化進行度として、前記複数のブロックのそれぞれにおける前記発光素子の前記表示履歴情報の累積値のうちの最大値を検出させてもよい。
【００３１】
これにより、複数のブロックのそれぞれにおける発光素子の表示履歴情報の累積値のうちの最大値を劣化進行度として検出するため、精度よく回転推奨状態を検出することができる。
【００３２】
また、前記検出回路に、前記劣化進行度として、前記複数のブロックのそれぞれにおける第１の劣化進行度と、前記表示パネルを面内方向に回転させたときに前記複数のブロックのそれぞれの位置に重複する前記複数のブロックのそれぞれにおける第２の劣化進行度との平均値を算出させ、算出した前記平均値が第２の閾値以下であるか否かを判別させてもよい。
【００３３】
これにより、表示パネルの回転前後の劣化進行度の平均値を算出するので、表示パネルを回転させた場合に所定のブロックの発光素子の輝度低下を解消することができるか否かを事前に判別することができる。したがって、表示パネルの回転を効率よく行うことができる。
【００３４】
また、前記検出回路が、前記表示パネルが前記回転推奨状態であると検出し、前記表示パネルが回転された場合、前記表示パネルにおいて列方向に配置された複数の画素回路に対するゲート駆動回路からのゲート信号の出力順を、第１の方向から、前記第１の方向と逆方向の第２の方向とするように前記ゲート駆動回路を駆動させ、前記表示パネルにおいて行方向に配置された複数の前記画素回路に対するソース駆動回路からの映像信号の出力順を、前記第１の方向に直交する第３の方向から、前記第３の方向と逆方向の第４の方向とするように前記ソース駆動回路を駆動させてもよい。
【００３５】
これにより、表示パネルを回転させた後、ゲート駆動回路からのゲート信号の出力順およびソース駆動回路からの映像信号の出力順を逆方向にするため、表示パネルへの映像表示を正しい向きに表示することができる。
【発明の効果】
【００３６】
本発明にかかる信号処理回路、プログラムおよび表示装置によれば、表示装置を長寿命化することができる。
【図面の簡単な説明】
【００３７】
【図１】実施の形態に係る表示装置の構成例を示す概略図である。
【図２】実施の形態に係る画素回路の構成を示す回路図である。
【図３】実施の形態に係る表示装置の構成を示すブロック図である。
【図４Ａ】実施の形態に係る表示装置が有する信号処理回路の構成を示すブロック図である。
【図４Ｂ】実施の形態に係る表示装置が有する信号処理回路の構成を示すブロック図である。
【図５】実施の形態に係る信号処理回路の信号処理の手順を示すフローチャートである。
【図６Ａ】実施の形態に係る表示装置におけるブロック化したパネル部の概略図である。
【図６Ｂ】実施の形態に係る表示装置におけるブロック化したパネル部の具体例を示す概略図である。
【図７Ａ】実施の形態に係る表示装置の劣化進行度を示すヒストグラムである。
【図７Ｂ】実施の形態に係る表示装置において、表示パネルの回転前後の劣化進行度の平均値を示すヒストグラムである。
【図８】実施の形態に係る表示装置の外観を示す概略図であり、（ａ）は表示パネルを回転させる前、（ｂ）は表示パネルを回転させた後である。
【発明を実施するための形態】
【００３８】
以下、本発明の実施の形態について説明する。なお、以下に説明する実施の形態は、いずれも本発明の好ましい一具体例を示すものである。したがって、以下の実施の形態で示される、数値、形状、材料、構成要素、構成要素の配置位置、接続形態、ステップおよびステップの順序などは一例であって本発明を限定する主旨ではない。よって、以下の実施の形態における構成要素のうち、本発明の最上位概念を示す独立請求項に記載されていない構成要素については、任意の構成要素として説明される。
【００３９】
また、各図は、模式図であり、必ずしも厳密に図示されたものではない。各図において、実質的に同一の構成に対しては同一の符号を付しており、重複する説明は省略または簡略化する。
【００４０】
（実施の形態）
以下、実施の形態について、図１〜図８を用いて説明する。本実施の形態では、表示装置として、有機エレクトロルミネッセンス（Ｅｌｅｃｔｒｏ  Ｌｕｍｉｎｅｓｓｅｎｃｅ：ＥＬ）素子を用いた表示装置１を例として説明する。
【００４１】
［１．表示装置の構成］
はじめに、表示装置１の構成について説明する。図１は、本実施の形態に係る表示装置１の構成例を示す概略図である。図２は、本実施の形態に係る画素回路３０の構成を示す回路図である。図３は、本実施の形態に係る表示装置１の構成を示すブロック図である。
【００４２】
図１に示すように、表示装置１は、パネル部１０と、制御部２０と、通知部２２とで構成されている。パネル部１０は、表示パネル１２と、ゲート駆動回路１４と、ソース駆動回路１６と、走査線４０と、信号線４２と、を有している。表示パネル１２と、ゲート駆動回路１４と、ソース駆動回路１６と、走査線４０と、信号線４２とは、例えば、パネル基板１２ａに実装されている。
【００４３】
表示パネル１２は、パネル基板１２ａと、パネル基板１２ａ上に行列状に配置された複数の画素回路３０と、走査線４０と、信号線４２とを有している。より詳細には、表示パネル１２は、行状の走査線４０と、列状の信号線４２と、両者が交差する部分に配置された発光素子３２を有する画素回路３０とを有している。パネル基板１２ａは、例えば、ガラスまたはアクリル等の樹脂により形成されている。
【００４４】
複数の画素回路３０は、例えば、半導体プロセスによってパネル基板１２ａに形成されている。複数の画素回路３０は、例えばＮ行Ｍ列に配置されている。Ｎ、Ｍは、表示画面のサイズおよび解像度により異なる。例えば、ＨＤ（Ｈｉｇｈ  Ｄｅｆｉｎｉｔｉｏｎ）と呼ばれる解像度で、行内にＲＧＢ３原色に対応する画素回路３０が隣接する場合、Ｎは少なくとも１０８０行であり、Ｍは少なくとも１９２０×３列である。各画素回路３０は、有機ＥＬ素子を発光素子として有し、ＲＧＢ三原色のいずれかの色の発光画素を構成する。
【００４５】
画素回路３０は、図２に示すように、発光素子３２と、駆動トランジスタ３３と、選択トランジスタ３５と、スイッチトランジスタ３４、３６および３７と、画素容量３８とを有している。なお、画素回路３０の構成および動作については、後に詳述する。
【００４６】
走査線４０は、行列状に配列された複数の画素回路３０に行ごとに配線されている。走査線４０の一端は、ゲート駆動回路１４の各段の出力端に接続されている。
【００４７】
信号線４２は、行列状に配列された複数の画素回路３０に列ごとに配線されている。信号線４２の一端は、ソース駆動回路１６の各段の出力端に接続されている。
【００４８】
ゲート駆動回路１４は、行駆動回路とも呼ばれ、画素回路３０の行単位にゲート駆動信号を走査する駆動回路である。ゲート駆動信号とは、画素回路３０内の駆動トランジスタ３３、選択トランジスタ３５、スイッチトランジスタ３４、３６および３７のゲートに入力されて各トランジスタのオンおよびオフを制御する信号である。ゲート駆動回路１４は、選択トランジスタ３５、スイッチトランジスタ３４、３６および３７を制御する信号として、例えば制御信号ＷＳ、消光信号ＥＮ、制御信号ＲＥＦおよび制御信号ＩＮＩを出力する。また、ゲート駆動回路１４は、図１に示すように、表示パネル１２の短辺の一辺に配置されている。
【００４９】
ゲート駆動回路１４は、例えばシフトレジスタ等によって構成されている。ゲート駆動回路１４は、制御部２０から映像期間信号ＤＥが与えられることにより、同じく制御部２０から与えられる垂直同期信号ＶＳに同期してゲート駆動信号を出力し、走査線４０を駆動する。これにより、フレーム毎に画素回路３０が線順次選択され、映像信号に応じた輝度で各画素回路３０の発光素子３２が発光する。
【００５０】
また、ゲート駆動回路１４は、表示パネル１２において列方向に配置された複数の画素回路３０に対するゲート信号の出力順を、第１の方向および第１の方向と逆方向の第２の方向のいずれの方向にも変更可能である。第１の方向とは、例えば図１に示した表示パネル１２の水平方向の左から右の方向である。この場合、第２の方向とは、図１に示した表示パネル１２の水平方向の右から左の方向である。
【００５１】
なお、ゲート駆動回路１４は、図１に示すように、表示パネル１２の短辺の一辺に配置されてもよいし、表示パネル１２の対向する短辺の二辺に配置されてもよい。ゲート駆動回路１４が表示パネル１２の対向する二辺に配置されることにより、表示パネル１２に配置された複数の画素回路３０に同じゲート駆動信号を同じタイミングで供給することができる。これにより、例えば表示パネル１２が大型である場合には、各走査線４０の配線容量による信号劣化を抑制することができる。
【００５２】
ソース駆動回路１６は、列駆動回路とも呼ばれ、制御部２０からフレーム単位で供給される映像信号を各画素回路３０に供給する駆動回路である。ソース駆動回路１６は、表示パネル１２の長辺の一辺に配置されている。
【００５３】
ソース駆動回路１６は、信号線４２を通して、画素回路３０の各々に対して映像信号に基づく輝度情報を電流値または電圧値の形で書き込む、電流書き込み型または電圧書き込み型の駆動回路である。本実施の形態に係るソース駆動回路１６は、例えば電圧書き込み型の駆動回路を使用している。ソース駆動回路１６は、制御部２０から入力される映像信号に基づいて、信号線４２にそれぞれの画素回路３０に設けられた発光素子３２の明るさを表す電圧を供給する。
【００５４】
また、ソース駆動回路１６は、表示パネル１２において行方向に配置された複数の画素回路３０に対する映像信号の出力順を、第１の方向に直交する第３の方向および第３の方向と逆方向の第４の方向のいずれの方向にも変更可能である。第３の方向とは、例えば図１に示した表示パネル１２の垂直方向の上から下の方向である。この場合、第４の方向とは、図１に示した表示パネル１２の垂直方向の下から上の方向である。
【００５５】
制御部２０からソース駆動回路１６に入力される映像信号は、例えば、ＲＧＢ三原色の色毎のデジタルシリアルデータ（映像信号Ｒ、Ｇ、Ｂ）である。ソース駆動回路１６に入力された映像信号Ｒ、Ｇ、Ｂは、ソース駆動回路１６の内部で行単位のパラレルデータに変換される。さらに、行単位のパラレルデータは、ソース駆動回路１６の内部で行単位のアナログデータに変換され、信号線４２に出力される。信号線４２に出力された電圧は、ゲート駆動回路１４の走査において選択された行に属する画素回路３０の画素容量３８に書き込まれる。つまり、信号線４２に出力された電圧に対応する電荷が、画素容量３８に蓄積される。
【００５６】
制御部２０は、表示パネル１２の外部に配置される外部システム回路基板（図示せず）上に形成されている。制御部２０は、例えばＴＣＯＮ（Ｔｉｍｉｎｇ  Ｃｏｎｔｒｏｌｌｅｒ）としての機能を有し、表示装置１の全体の動作を制御する。具体的には、制御部２０は、外部から供給される垂直同期信号ＶＳ、水平同期信号ＨＳ、映像期間信号ＤＥにしたがって、ゲート駆動回路１４に対して走査を指示する。また、制御部２０は、ソース駆動回路１６に対して、映像信号Ｒ、Ｇ、Ｂのデジタルシリアルデータを供給する。このとき、制御部２０は、映像信号Ｒ、Ｇ、Ｂが所望のタイミングおよび所望の輝度で表示パネル１２に表示されるように、ゲート駆動回路１４およびソース駆動回路１６を制御する。より具体的には、発光素子３２の発光輝度、発光タイミング、発光期間と消光期間とのデューティ（オンデューティ）を制御する。
【００５７】
制御部２０は、図３に示すように、データ保持部２６と、同期制御部２８と、信号処理回路５０とを有している。なお、制御部２０は、外部から供給される信号を受信してデータ保持部２６、同期制御部２８および信号処理回路５０へ供給するレシーバー（図示せず）を備えていてもよい。
【００５８】
データ保持部２６は、映像信号Ｒ、Ｇ、Ｂを一時的に保持するバッファである。データ保持部２６は、例えばラインバッファである。データ保持部２６は、外部から受信した一ラインごとの映像信号Ｒ、Ｇ、Ｂを順に保持し、所定のタイミングでソース駆動回路１６に出力する。
【００５９】
同期制御部２８は、映像信号Ｒ、Ｇ、Ｂが表示パネル１２に表示されるタイミングを制御する制御部である。同期制御部２８は、外部から垂直同期信号ＶＳ、水平同期信号ＨＳおよび映像期間信号ＤＥを受信し、ゲート駆動回路１４およびソース駆動回路１６に出力する。また、同期制御部２８は、信号処理回路５０にも同期制御信号を出力してもよい。信号処理回路５０は、同期制御信号に基づいて、所定のタイミングで後述する信号処理を行ってもよい。
【００６０】
信号処理回路５０は、発光素子３２の劣化進行度を検出し、劣化進行度が所定の値に達したときに、通知部２２に、ユーザに表示パネル１２の回転の推奨を通知させる回路である。なお、信号処理回路５０の構成については、後に詳述する。
【００６１】
また、制御部２０は、外部から供給される垂直同期信号ＶＳ、水平同期信号ＨＳおよび映像期間信号ＤＥに基づいてゲート駆動回路１４を制御し、映像信号Ｒ、Ｇ、Ｂの表示タイミングを調整するタイミング調整部（図示せず）を有していてもよい。また、信号処理回路５０は、映像期間信号ＤＥに基づいて、発光期間と消光期間とのデューティ（オンデューティ）を調整するデューティ調整部（図示せず）を有していてもよい。また、信号処理回路５０は、データ保持部２６に一時的に保持された映像信号Ｒ、Ｇ、Ｂの輝度を調整して、ソース駆動回路１６に出力する輝度調整部（図示せず）を有していてもよい。
【００６２】
通知部２２は、例えばＬＥＤ発光素子で構成されている。通知部２２は、信号処理回路５０からの信号に基づいて、点灯または消灯する。これにより、通知部２２は、ユーザに表示パネル１２が回転推奨状態にあることを通知する。なお、通知部２２は、ＬＥＤ発光素子に限らず、他の発光素子であってもよいし、発光素子以外のものであってもよい。
【００６３】
なお、ソース駆動回路１６は、図１に示すように、表示パネル１２の長辺の一辺に配置されてもよいし、表示パネル１２の対向する長辺の二辺に配置されてもよい。これにより、例えば表示パネル１２が大型の場合には、同列の各画素回路３０に同じタイミングで電圧を出力することができる。
【００６４】
さらに、表示装置１は、表示パネル１２を面内方向に回転させる回転機構（図示せず）を備えていてもよい。回転機構は、例えば、表示パネル１２を、取り外し可能な土台に、上下を反転させて取り付けることができるものであってもよいし、表示パネル１２を土台に取り付けたまま面内方向に回転させることができる構成であってもよいし、表示パネル１２を面内方向に回転させることができる構成であればどのようなものであってもよい。
【００６５】
［２．画素回路の構成］
画素回路３０は、図２に示すように、発光素子３２と、駆動トランジスタ３３と、選択トランジスタ３５と、スイッチトランジスタ３４、３６および３７と、画素容量３８とを有している。
【００６６】
発光素子３２は、例えばアノードおよびカソードを備えたダイオード形の有機ＥＬ素子である。なお、発光素子３２は有機ＥＬ素子に限らず、他の発光素子であってもよい。例えば、発光素子３２は、一般的に電流駆動で発光する全ての素子を含む。
【００６７】
発光素子３２は、例えば透明導電膜で構成される複数の第一電極層と、第一電極層上に正孔輸送層、発光層、電子輸送層および電子注入層をこの順に堆積した有機層と、有機層の上に金属膜で構成される第二電極層とを有している。なお、図２では、発光素子３２はシンボルとして模式的に表示している。発光素子３２の第一電極層と第二電極層との間に直流電圧が印加されると、発光層において電子と正孔とが再結合する。これにより、発光素子３２は、駆動トランジスタ３３から供給される、駆動トランジスタ３３のドレイン−ソース間電流により、映像信号の信号電位に応じた輝度で発光する。
【００６８】
駆動トランジスタ３３は、発光素子３２を発光駆動する能動素子である。駆動トランジスタ３３は、オン状態となることで、ゲート−ソース間電圧に応じたドレイン−ソース間電流を発光素子３２に供給する。
【００６９】
スイッチトランジスタ３４は、走査線４０から供給される消光信号ＥＮに応じてオン状態またはオフ状態となる。スイッチトランジスタ３４は、オン状態となることで駆動トランジスタ３３を電源Ｖｃｃに接続し、駆動トランジスタ３３のドレイン−ソース間電流を発光素子３２に供給する。
【００７０】
選択トランジスタ３５は、走査線４０から供給される制御信号ＷＳに応じてオン状態となり、信号線４２から供給される映像信号の信号電位に応じた電荷を画素容量３８に蓄積する。
【００７１】
スイッチトランジスタ３６は、走査線４０から供給される制御信号ＲＥＦに応じてオン状態となり、駆動トランジスタ３３のソースを基準電圧Ｖｒｅｆに設定する。
【００７２】
スイッチトランジスタ３７は、走査線４０から供給される制御信号ＩＮＩに応じてオン状態となり、駆動トランジスタ３３のソースを基準電圧Ｖｉｎｉに設定する。
【００７３】
画素容量３８は、蓄積された電荷による信号電位に応じて、駆動トランジスタ３３のゲートに電圧を印加する。
【００７４】
なお、駆動トランジスタ３３、選択トランジスタ３５、スイッチトランジスタ３６およびスイッチトランジスタ３７は、例えばＮチャネル型のポリシリコンＴＦＴ（Ｔｈｉｎ  Ｆｉｌｍ  Ｔｒａｎｓｉｓｔｏｒ：薄膜トランジスタ）で構成されている。また、スイッチトランジスタ３４は、例えばＰチャネル型のポリシリコンＴＦＴで構成されている。なお、各トランジスタの導電型は上記したものに限られず、Ｎチャネル型とＰチャネル型のＴＦＴを適宜混在させてもよい。また、各トランジスタは、ポリシリコンＴＦＴに限らず、アモルファスシリコンＴＦＴ等で構成されていてもよい。
【００７５】
画素回路３０では、制御部２０により制御信号ＷＳ、ＲＥＦ、ＩＮＩおよび消光信号ＥＮが所定のタイミングで供給されることにより、各トランジスタがオンまたはオフ状態となり、初期化期間、Ｖｔｈ補償期間、発光期間および消光期間で構成されるフレーム期間が繰り返される。これにより、各フレーム期間における映像信号の信号電位に応じて、行列状に配置された発光素子３２が順次発光し、表示パネル１２に映像が表示される。
【００７６】
［３．信号処理回路の構成］
次に、信号処理回路５０の構成について説明する。図４Ａおよび図４Ｂは、本実施の形態に係る表示装置１が有する信号処理回路５０の構成を示すブロック図である。
【００７７】
信号処理回路５０は、発光素子３２の劣化進行度を検出し、劣化進行度が所定の値に達していれば、ユーザに表示パネル１２の回転を推奨する回路である。図４Ａに示すように、信号処理回路５０は、累積回路５２と、検出回路５４とを備えている。
【００７８】
累積回路５２は、発光素子３２の発光輝度を累積した表示履歴情報を保持する回路である。累積回路５２は、例えばメモリ回路で構成されている。表示履歴情報は、画素回路３０ごとに発光輝度を累積した情報であってもよいし、表示パネル１２に行列状に配置された複数の画素回路３０を複数のブロックに分割し、分割されたブロック毎に画素回路３０の発光輝度を累積した情報であってもよい。表示履歴情報は、検出回路５４に出力される。なお、表示パネル１２における分割された複数のブロックについては、後に詳述する。
【００７９】
検出回路５４は、累積回路５２から出力された表示履歴情報を受け取り、発光素子３２の表示履歴情報から劣化進行度を検出し、表示パネル１２の回転推奨状態を検出する回路である。回転推奨状態とは、発光素子３２が経時劣化することにより表示パネル１２においていわゆる画像の焼き付きが生じるのを抑制するために、表示パネル１２を面内方向に回転させることにより各画素回路３０の配置位置を変更することが好ましい状態のことをいう。
【００８０】
検出回路５４は、図４Ｂに示すように、最大値検出部５６と、判別部５８とを有している。
【００８１】
最大値検出部５６は、累積回路５２に保存されている各画素回路３０の発光素子３２の発光輝度の累積値から、各ブロックにおける画素回路３０の発光輝度の累積値のうちの最大値を、劣化進行度として検出する。劣化進行度は、例えば発光輝度の累積値を０〜５９の６０段階の数値により示したものであってもよい。そして、後述するように、劣化進行度と、これに対応するブロック数とをヒストグラムとして保持する。なお、最大値検出部５６は、各ブロックにおける劣化進行度とこれに対応するブロック数とを、ヒストグラムとして保持しなくてもよく、他の方法で保持してもよい。例えば、各ブロックにおける劣化進行度とこれに対応するブロック数と対応付けたテーブルにより保持してもよい。
【００８２】
判別部５８は、最大値検出部５６で検出された劣化進行度のヒストグラムを用いて、表示パネル１２が回転推奨状態であるか否かを判別する。詳細には、判別部５８は、最大値検出部５６で保持されたヒストグラムにおいて、劣化進行度が閾値Ｓｔｈ１以上であるブロックの数（ブロック数）Ｐ１が所定数以上の場合に、回転推奨状態であると判別する。本実施の形態において、Ｓｔｈ１は第１の閾値である。所定数とは、例えば、表示パネル１２が有する全ブロック数の２０％としてもよい。
【００８３】
また、判別部５８は、上述したように劣化進行度が閾値Ｓｔｈ１以上であるブロック数により表示パネル１２が回転推奨状態であるか否かを判断することに加えて、表示パネル１２を回転させていない場合と回転させたと仮定した場合の劣化進行度の平均値を算出する。より詳細には、判別部５８は、ある１ブロックの劣化進行度として、表示パネル１２を回転させる前の位置における劣化進行度を第１の劣化進行度、表示パネルを面内方向に回転させたときに当該ブロックの位置に重複するブロックの劣化進行度を第２の劣化進行度とし、第１の劣化進行度と第２の劣化進行度との平均値を算出し、算出した前記平均値が第２の閾値以下であるか否かを判別する。また、表示パネル１２に配置された複数のブロックそれぞれについて、同様の処理を行う。
【００８４】
さらに、判別部５８は、後述するように、算出された劣化進行度の平均値と、これに対応するブロック数とをヒストグラムとして保持する。そして、全てのブロックにおける劣化進行度の平均値が閾値Ｓｔｈ１の所定数倍の閾値Ｓｔｈ２以下の場合に、回転推奨状態であると判別する。本実施の形態において、Ｓｔｈ２は第２の閾値である。閾値Ｓｔｈ１の所定数倍とは、例えば、０．７５倍である。
【００８５】
なお、判別部５８は、各ブロックにおける劣化進行度の平均値とこれに対応するブロック数とを、ヒストグラムとして保持しなくてもよく、他の方法で保持してもよい。例えば、各ブロックにおける劣化進行度とこれに対応するブロック数と対応付けたテーブルにより保持してもよい。
【００８６】
劣化進行度の平均値が閾値Ｓｔｈ１の所定数倍の閾値Ｓｔｈ２以下であれば、表示パネル１２を回転させることにより、表示装置１を長寿命化させつつ使用することができる。また、劣化進行度の平均値が閾値Ｓｔｈ１の所定数倍の閾値Ｓｔｈ２を超える場合には、表示パネル１２を回転させても、回転後の表示パネル１２にも発光素子３２の経時劣化が現れることになる。したがって、表示装置１を長寿命化させつつ使用することは難しい。
【００８７】
なお、判別部５８は、表示パネル１２を回転させていない場合と回転させたと仮定した場合の劣化進行度の平均値に限らず、合計値を算出してもよい。この場合、閾値Ｓｔｈ１の所定数倍とは、例えば、１．５倍である。
【００８８】
表示パネル１２の回転推奨状態の検出方法については、後に詳述する。
【００８９】
検出回路５４で検出された劣化進行度により、信号処理回路５０は、ゲート駆動回路１４から出力されるゲート信号を第１の方向に順に出力するか、第１の方向と反対方向の第２の方向に順に出力するかを制御する。また、信号処理回路５０は、ソース駆動回路１６から出力される映像信号を第１の方向と直交する第３の方向に順に出力するか、第３の方向と反対方向の第４の方向に順に出力するかを制御する。
【００９０】
また、信号処理回路５０は、表示履歴情報に基づいて、ＬＥＤ発光素子で構成されている通知部２２に、ＬＥＤ発光素子をオン状態とする信号を供給する。これにより、通知部２２は発光し、ユーザに表示パネル１２の回転させる時期であることを通知する。
【００９１】
なお、信号処理回路５０は、上述したように、累積回路５２および検出回路５４に限らず他の回路を備える構成であってもよい。例えば、回転推奨状態であることを検出し、表示パネル１２を反転させるか否かの信号処理を行うためのプログラムを保持する記憶部（図示せず）を有していてもよい。
【００９２】
また、信号処理回路５０は、上述したように、最大値検出部５６によって各ブロックにおける画素回路３０の発光輝度の累積値のうちの最大値を、劣化進行度として検出することに限らず、例えば、各ブロックにおける画素回路３０の発光輝度の累積値の平均値を、劣化進行度として検出してもよい。
【００９３】
［４．信号処理回路の信号処理手順］
ここで、信号処理回路５０が表示パネルの回転推奨状態を判別し、回転させた後の表示パネル１２に映像を正常に表示させる信号処理の手順について説明する。図５は、本実施の形態に係る信号処理回路５０の信号処理の手順を示すフローチャートである。なお、以下の手順はプログラム化されていてもよく、プログラムとして信号処理回路５０、制御部２０、表示装置１のいずれかに記憶されていてもよい。
【００９４】
図５に示すように、信号処理回路５０は、はじめに、累積回路５２から複数の画素回路３０の発光輝度の累積値を読み出し（ステップＳ１０）、検出回路５４に出力する。検出回路５４の最大値検出部５６では、表示パネル１２において分割された各ブロックにおける画素回路３０の発光輝度の累積値のうちの最大値を、劣化進行度として検出する。
【００９５】
図６Ａは、本実施の形態に係る表示装置１におけるブロック化した表示パネル１２の概略図である。図６Ｂは、本実施の形態に係る表示装置１におけるブロック化した表示パネル１２の具体例を示す概略図である。
【００９６】
表示パネル１２に行列状に配置された複数の画素回路３０は、図６Ａに示すように、複数のブロック６０に分割されている。図６Ａに示す表示パネル１２では、列方向にＭ個、行方向にＮ個のブロック６０が配置されている。なお、図６Ａに示す表示パネル１２では、各ブロック６０の位置を座標（ｉ，ｊ）で示している。例えば、図６Ａにおいて最も左上の位置に配置されたブロック６０の座標は（１，１）、最も右下の位置に配置されたブロック６０の座標は（Ｍ，Ｎ）である。
【００９７】
図６Ｂは、Ｍ＝４、Ｎ＝６とした場合の表示パネル１２のブロック６０を示している。なお、図６Ｂにおいて、ブロック６０ａの座標は（１，３）、ブロック６０ｂの座標は（４，４）、ブロック６０ｃの座標は（２，５）、ブロック６０ｄの座標は（３，２）である。ブロック６０ａ、６０ｂ、６０ｃおよび６０ｄのそれぞれにおける劣化進行度は、例えばＡ１、Ａ２、Ａ３およびＢ１である。Ａ１、Ａ２およびＡ３は閾値Ｓｔｈ１以上の値であり、Ｂ１は閾値より小さい値である。
【００９８】
次に、信号処理回路５０は、劣化進行度とこれに対応するブロック数とをヒストグラム化し、保持する（ステップＳ１１）。図７Ａは、本実施の形態に係る表示装置１の劣化進行度を示すヒストグラムである。
【００９９】
図７Ａに示すヒストグラムでは、横軸に劣化進行度、縦軸にブロック数を示している。劣化進行度は、左から右に行くにつれて値が大きくなっている。ブロック数は、下から上に行くにつれて値が大きくなっている。例えば、左から順に０〜９、１０〜１９、２０〜２９、３０〜３９、４０〜４９、５０〜５９の劣化進行度に対応するブロック数が示されている。
【０１００】
ここで、信号処理回路５０の判別部５８は、劣化進行度が閾値Ｓｔｈ１以上となるブロック数Ｐ１を検出する（ステップＳ１２）。そして、判別部５８は、ブロック数Ｐ１があらかじめ定められた所定数以上であるか否かを判断する（ステップＳ１３）。劣化進行度が閾値Ｓｔｈ１以上となるブロック数Ｐ１があらかじめ定められた所定数以上でなければ（ステップＳ１３においてＮｏ）、表示装置１の発光素子３２の劣化は進んでおらず、表示パネル１２を回転させる必要はないことになる。したがって、信号処理回路５０は、再び累積回路からブロック６０毎に発光輝度の累積時間を読み出し、劣化進行度を検出する（ステップＳ１０）。
【０１０１】
また、劣化進行度が閾値Ｓｔｈ１以上となるブロック数がＰ１以上であれば（ステップＳ１３においてＹｅｓ）、表示装置１の発光素子３２の劣化が進んでおり、表示パネル１２は回転推奨状態にあることになる。そこで、判別部５８は、表示パネル１２を回転させることが有効であるか否かを判別するために、表示パネル１２を回転させない場合（回転前）と回転させたと仮定したとき（回転後）の各ブロックの位置における劣化進行度の平均値を算出する（ステップＳ１４）。そして、算出した劣化進行度の平均値とこれに対応するブロック数とをヒストグラム化し、保持する。
【０１０２】
図６Ａに示した表示パネル１２では、回転前の座標（ｉ，ｊ）の位置に配置されたブロック６０は、回転後には座標（Ｍ−ｉ＋１，Ｎ−ｊ＋１）の位置に重複する。そこで、座標（ｉ，ｊ）における劣化進行度をＳ（ｉ，ｊ）、回転後の（Ｍ−ｉ＋１，Ｎ−ｊ＋１）における劣化進行度をＳ（Ｍ−ｉ＋１，Ｎ−ｊ＋１）とすると、座標（ｉ，ｊ）の位置に配置されたブロック６０と座標（Ｍ−ｉ＋１，Ｎ−ｊ＋１）の位置に配置されたブロック６０の劣化進行度の平均値は、｛Ｓ（ｉ，ｊ）＋Ｓ（Ｍ−ｉ＋１，Ｎ−ｊ＋１）｝／２となる。
【０１０３】
例えば、図６Ｂに示した表示パネル１２では、回転前のブロック６０ａの位置に、回転後のブロック６０ｂの位置が重複する。したがって、回転前のブロック６０ａの位置での劣化進行度の平均値は、（Ａ１＋Ａ２）／２となる。また、回転前のブロック６０ｂの位置での劣化進行度の平均値も、（Ａ１＋Ａ２）／２となる。なお、Ａ１およびＡ２は閾値Ｓｔｈ１以上と大きい値であるため、（Ａ１＋Ａ２）／２の値も大きくなる可能性がある。
【０１０４】
同様に、回転前のブロック６０ｃの位置に、回転後のブロック６０ｄの位置が重複する。したがって、回転前のブロック６０ｃの位置での劣化進行度の平均値は、（Ａ３＋Ｂ１）／２となる。また、回転前のブロック６０ｄの位置での劣化進行度の平均値も、（Ａ３＋Ｂ１）／２となる。なお、Ａ３は閾値Ｓｔｈ１以上の値であるが、Ｂ１は閾値より小さい値であるので、（Ａ３＋Ｂ１）／２の値は、（Ａ１＋Ａ２）／２ほど大きい値とはならない。
【０１０５】
図７Ｂは、本実施の形態に係る表示装置１において、表示パネル１２の回転前後の劣化進行度の平均値を示すヒストグラムである。図７Ｂに示すヒストグラムでは、横軸に劣化進行度（平均値）、縦軸にブロック数を示している。劣化進行度は、左から右に行くにつれて値が大きくなっている。ブロック数は、下から上に行くにつれて値が大きくなっている。例えば、左から順に０〜９、１０〜１９、２０〜２９、３０〜３９、４０〜４９、５０〜５９の劣化進行度に対応するブロック数が示されている。
【０１０６】
判別部５８は、閾値Ｓｔｈ１の所定数倍の閾値Ｓｔｈ２を算出する（ステップＳ１５）。閾値Ｓｔｈ１の所定数倍とは、例えば、０．７５倍である。つまり、閾値Ｓｔｈ２は、Ｓｔｈ２＝Ｓｔｈ１×０．７５である。図６Ａに示した、表示パネル１２では、劣化進行度の判別条件は、｛Ｓ（ｉ，ｊ）＋Ｓ（Ｍ−ｉ＋１，Ｎ−ｊ＋１）｝／２＝０．７５×Ｓｔｈ１と表すことができる。
【０１０７】
判別部５８は、図７Ｂに示した全てのブロックにおける劣化進行度の平均値が閾値Ｓｔｈ２以下であるか否かを判別する（ステップＳ１６）。
【０１０８】
劣化進行度の平均値が閾値Ｓｔｈ２を超える場合には（ステップＳ１６においてＮｏ）、表示パネル１２を回転させても、回転後の表示パネル１２にも発光素子３２の経時劣化が現れることになる。したがって、表示パネル１２を回転させても発光素子３２の経時劣化が表示画面に現れるのを抑制することはできないため、信号処理回路５０は、再び累積回路からブロック６０毎に発光輝度の累積時間を読み出し、劣化進行度を検出する（ステップＳ１０）。
【０１０９】
また、劣化進行度の平均値が閾値Ｓｔｈ２以下である場合には（ステップＳ１６においてＹｅｓ）、表示パネル１２を回転させることにより、発光素子３２の経時劣化が表示画面に現れるのを抑制することができる。したがって、判別部５８は、表示パネル１２が回転推奨状態であると判別する。そして、信号処理回路５０は、通知部２２により、表示パネル１２が回転推奨状態にあることを通知させる（ステップＳ１７）。これにより、ユーザは、表示パネル１２が回転推奨状態であることを認識し、表示パネル１２を面内方向に例えば１８０°回転させることができる。
【０１１０】
図８は、本実施の形態に係る表示装置１の外観を示す概略図であり、（ａ）は表示パネル１２を回転させる前、（ｂ）は表示パネル１２を回転させた後である。表示パネル１２が面内方向に１８０°回転されると、回転前の走査方向のままでは映像は上下左右逆に表示されるため、信号処理回路５０は、走査方向を上下左右逆に設定する（ステップＳ１８）。
【０１１１】
つまり、信号処理回路５０は、ゲート駆動回路１４を制御して、回転前の表示パネル１２において第１の方向に順に出力されていたゲート信号を、第１の方向と反対方向の第２の方向に順に出力させる。同様に、信号処理回路５０は、ソース駆動回路１６を制御して、回転前の表示パネル１２において第３の方向に順に出力されていた映像信号を、第３の方向と反対方向の第４の方向に順に出力させる。これにより、映像信号は、正しい向きに表示される。これにより、信号処理回路５０の信号処理は終了する。なお、信号処理回路５０は、表示パネル１２が面内方向に１８０°回転された後、当該信号処理を繰り返してもよい。
【０１１２】
なお、走査方向の設定は、表示パネル１２の回転後、ユーザが表示パネル１２の回転が完了したことを信号処理回路５０に伝達するためのボタンを押すことにより、設定されてもよいし、表示パネル１２がジャイロセンサ等の傾き検出センサを備えており、当該センサにより表示パネル１２が回転されたことが検出されたときに自動で設定されてもよい。
【０１１３】
なお、判別部５８は、表示パネル１２を回転させていない場合と回転させたと仮定した場合の劣化進行度の平均値に限らず、合計値を算出してもよい。この場合、閾値Ｓｔｈ１の所定数倍とは、例えば、１．５倍である。また、図６Ｂに示した表示パネル１２の例では、ブロック６０ａおよび６０ｂの劣化進行度はＡ１＋Ａ２、ブロック６０ｃおよび６０ｄの劣化進行度はＡ３＋Ｂ１とすればよい。
【０１１４】
［５．効果等］
このように、本実施の形態に係る制御部２０および表示装置１によると、発光素子の輝度低下を輝度の補正により解消することができる限界に達する前に表示パネルを回転させるため、劣化した発光素子の発光輝度を補正することで、正しい輝度で発光素子を発光させ、表示を行うことができる。これにより、表示装置を長寿命化することができる。
【０１１５】
また、表示パネルの回転前後の劣化進行度の平均値を算出することにより、表示パネルを回転させた場合に所定のブロックの発光素子の輝度低下を解消することができるか否かを事前に判別することができるので、表示パネルの回転を効率よく行うことができる。
【０１１６】
（その他の実施の形態）
なお、本発明は、上述した実施の形態に記載した構成に限定されるものではなく、適宜変更を加えてもよい。
【０１１７】
例えば、上述した実施の形態では、表示パネルを回転させることとしたが、表示パネル内の表示パネルのみを回転させる構成としてもよいし、表示パネルと制御部とが一体に形成されている場合には、表示パネルと制御部とを回転させる構成としてもよい。
【０１１８】
また、表示パネルは、上述したブロック数に分割されていなくてもよい。表示パネルにおけるブロック数は、上述したように４×６ブロックであってもよいし、他のブロック数であってもよい。例えば、８×８ブロックとしてもよい。
【０１１９】
また、最大値検出部は、各ブロックにおける劣化進行度とこれに対応するブロック数とを、ヒストグラムとして保持しなくてもよく、他の方法で保持してもよい。例えば、各ブロックにおける劣化進行度とこれに対応するブロック数と対応付けたテーブルにより保持してもよい。
【０１２０】
また、判別部は、各ブロックにおける劣化進行度の平均値とこれに対応するブロック数とを、ヒストグラムとして保持しなくてもよく、他の方法で保持してもよい。例えば、各ブロックにおける劣化進行度とこれに対応するブロック数と対応付けたテーブルにより保持してもよい。
【０１２１】
また、判別部は、表示パネルを回転させていない場合と回転させたと仮定した場合の劣化進行度の平均値に限らず、合計値を算出してもよい。
【０１２２】
また、信号処理回路は、上述したように、最大値検出部によって、各ブロックにおける画素回路の発光輝度の累積値のうちの最大値を、劣化進行度として検出してもよいし、各ブロックにおける画素回路の発光輝度の累積値の平均値を、劣化進行度として検出してもよい。また、信号処理回路は、これ以外の方法により、劣化進行度を検出してもよい。
【０１２３】
また、発光素子は有機ＥＬ素子に限らず、他の発光素子であってもよい。例えば、発光素子は、一般的に電流駆動で発光する全ての素子であってもよい。
【０１２４】
また、表示装置は、表示パネルを面内方向に回転させる回転機構を備えていてもよい。回転機構は、例えば、表示パネルを取り外し可能な土台に上下を反転させて取り付けることができるものであってもよい。また、表示パネルを面内方向に回転させることができる構成であればどのようなものであってもよい。
【０１２５】
また、表示パネルを回転させる角度は、上述したように１８０°に限らず、他の角度であってもよい。例えば、表示パネルの形状が正方形である場合には、表示パネルを９０°回転させる構成としてもよい。
【０１２６】
また、上述した実施の形態において、ゲート駆動回路は、表示パネルの短辺の一辺に配置されてもよいし表示パネルの対向する短辺の二辺に配置されてもよい。同様に、ソース駆動回路は、表示パネルの長辺の一辺に配置されてもよいし表示パネルの対向する長辺の二辺に配置されてもよい。
【０１２７】
また、表示装置において、画素回路の構成は、上述した実施の形態に示した構成に限らず、変更してもよい。例えば、駆動トランジスタ、選択トランジスタおよび画素容量を備える構成であれば、他のスイッチトランジスタの配置は適宜変更してもよい。また、画素回路に設けられる複数のトランジスタは、ポリシリコンＴＦＴであってもよいし、アモルファスシリコンＴＦＴ等他のトランジスタで構成されていてもよい。また、トランジスタの導電型はＮチャネル型であってもよいしＰチャネル型であってもよいし、これらを組み合わせたものであってもよい。
【０１２８】
その他、本発明の趣旨を逸脱しない限り、上述の実施の形態に対して当業者が思いつく各種変形を施して得られる形態、または、本発明の趣旨を逸脱しない範囲で上述の実施の形態における構成要素および機能を任意に組み合わせることで実現される形態も本発明に含まれる。例えば、本発明にかかる制御部、検出回路または信号処理回路を備えた表示装置の一例として、フラットテレビシステム、パネル部が搭載されたゲーム機、ＰＣ用モニタシステムも本発明に含まれる。
【産業上の利用可能性】
【０１２９】
本発明は、テレビシステム、ゲーム機およびパーソナルコンピュータのディスプレイ等の技術分野に有用である。
【符号の説明】
【０１３０】
１  表示装置
１０  パネル部
１２  表示パネル
１２ａ  パネル基板
１４  ゲート駆動回路
１６  ソース駆動回路
２０  制御部
２２  通知部
２６  データ保持部
２８  同期制御部
３０  画素回路
３２  発光素子
３３  駆動トランジスタ
３４、３６、３７  スイッチトランジスタ
３５  選択トランジスタ
３８  画素容量
４０  走査線
４２  信号線
５０  信号処理回路
５２    累積回路
５４  検出回路
５６  最大値検出部
５８  判別部
６０、６０ａ、６０ｂ、６０ｃ、６０ｄ  ブロック
【図１】
2019023676.tif 000003
【図２】
2019023676.tif 000004
【図３】
2019023676.tif 000005
【図４Ａ】
2019023676.tif 000006
【図４Ｂ】
2019023676.tif 000007
【図５】
2019023676.tif 000008
【図６Ａ】
2019023676.tif 000009
【図６Ｂ】
2019023676.tif 000010
【図７Ａ】
2019023676.tif 000011
【図７Ｂ】
2019023676.tif 000012
【図８】
2019023676.tif 000013